(57)【要約】【課題】本出願前に知られている足腰の筋肉を鍛えたり治療する器具の多くは足を器具に固定し足を前後または左右に機械的に動かす機構であったり、例え足を載せる足置部がベルトであっても該足置ベルトは左右連動するものであり、一方の足を上げれば他方の足が下がる機構であり両足を同時に上げたり下げたりすることはできない。【解決手段】下方が凸部の弓形をした１つ以上の横梁と該横梁を垂直方向に支える支柱から形成された足のブランコ装置であり、該弓形をした横梁には１つ以上の足置部を揺動支持するための係合部が設けられているとともに足置部を横梁の弓形状に沿って往復動させるための駆動源が設けられている。【選択図】図１
2010104773.tif 000002
【特許請求の範囲】
【請求項１】
下方が凸部の弓形をした横梁と該横梁を垂直方向に支える支柱から形成され、弓形をした横梁には足置部を揺動支持するための係合部が設けられているとともに、該足置部を横梁の弓形状に沿って往復動させるための駆動源が設けられていることを特徴とする足のブランコ装置。
【請求項２】
足置部が左右分割可能に設けられているとともに該足置部が左右異なった動きが可能であることを特徴とする請求項1に記載の足のブランコ装置。
【請求項３】
下方が凸部の弓形をした横梁が支柱に対して左右対象に設けられていることを特徴とする請求項２に記載の足のブランコ装置。
【請求項４】
足置部を横梁の弓形状に沿って往復動させるために横梁の弓形状にスライド溝が設けられていることを特徴とする請求項２に記載の足のブランコ装置。
【請求項５】
支柱に横梁の高さを調整するための固定具が設けられていることを特徴とする請求項１ないし４のいずれかに記載の足のブランコ装置。
【請求項６】
横梁および支柱のそれぞれが分割可能に設けられていることを特徴とする請求項１ないし５のいずれかに記載の足のブランコ装置。
【請求項７】
足置部の動きを手元の操作で調整可能にすることを特徴とする請求項１ないし６のいずれかに記載の足のブランコ装置。
【発明の詳細な説明】
【技術分野】
【０００１】
本願発明は足の治療や足の筋肉の増強に好適な運動器具に関するものである。特に本願発明は両足を遥動可能な支持体に載せて左右に往復動することができる足のブランコ装置に関するものである。
【背景技術】
【０００２】
一般的な老齢化による足の筋肉の衰えや事故等による下半身機能の劣化や障害を回復するために従来から種々の器具が開発されている。例えば、器体の上面に設けられた足首置部を繰り返し横方向に往復作動させる腰脚部用運動器（特許文献１）、上面に長溝を設けた基台の内部に伝達機構を備え、伝達機構を介して伝達されたモータの動力によって走行体を長溝の長手方向に沿って往復動させる機構を備えるとともに走行体の往復動を制御する制御部を設け、走行体の上部には使用者が手で掴む部分と足を載せる部分の両方を備えた手足載せ台が設けられたストレッチ器具（特許文献２）等の器具が知られている。
【０００３】
また、足を載せる台の上に足の膝から下の部分を載せて締め具で締めて固定した後自力または他力で足を前後に動かすようにした機構の寝たきり患者用脚力維持回復器（特許文献３）、ベッドの両側に設けられたサイドレールに固定される支柱と該支柱の上端間に設けられた天棒と該天棒に摺動自在に設けられたスライド受金具と該スライド受金具を天棒の任意の位置に固定する固定部材と該スライド受金具に設けられ訓練用具を着脱自在に取り付ける吊金具と該吊金具に取り付けられた訓練用具とを有する筋力訓練用具（特許文献４）、さらには、ループ状にした平ゴムベルトを重ねて平プーリーに掛け、下がった左右平ゴムベルトのＵ字部に足を掛け、静止又は動作をしてゴムの伸縮性を利用した足の疲れを軽減する健康器具（特許文献５）等の数多くの器具が知られている。
【先行技術文献】
【特許文献】
【０００４】
【特許文献１】実開昭６２−６６６７３号公報
【特許文献２】特開２００２−３０１１２１号公報
【特許文献３】実開平  ４−５８２３８号公報
【特許文献４】特開２００６−３１１８７４号公報
【特許文献５】特開２００４−１３５７３１号公報
【発明の概要】
【発明が解決しようとする課題】
【０００５】
しかしながら、本出願前に知られている足腰の筋肉を鍛える器具や足腰を治療する器具の多くは足を器具に固定し足を前後または左右に機械的に動かすものである。足置部を前後または左右に機械的に動かす器具とは違って同じ高さに支持された足置のベルトを上下や左右に動かす器具も知られている。ただ、従来から知られている足置ベルトを上下させるものの多くは足を載せる足置部が左右連動しており一方の足を上げれば他方の足が下がる機構であり両足を同時に上げたり下げたりすることはできない。本願発明はこのような従来の器具が持つ問題点を解決することを課題とするものである。
【課題を解決するための手段】
【０００６】
本願発明は上記の課題を解決するものであり、本願発明は第１には、下方が凸部の弓形をした横梁と該横梁を垂直方向に支える支柱から形成され、弓形をした横梁には足置部を揺動支持するための係合部が設けられているとともに、該足置部を横梁の弓形状に沿って往復動させるための駆動源が設けられている足のブランコ装置を提供する。
第２には、足置部が左右分割可能に設けられているとともに該足置部が左右異なった動きが可能である上記の足のブランコ装置を提供する。
第３には、下方が凸部の弓形状の横梁が支柱に対して左右対象に設けられている上記の足のブランコ装置を提供する。
第４には、足置部を横梁の弓形状に沿って往復動させるために横梁の弓形状にスライド溝が設けられている上記の足のブランコ装置を提供する。
第５には、支柱に横梁の高さを調整するための固定具が設けられている上記の足のブランコ装置を提供する。
第６には、横梁および支柱のそれぞれが分割可能に設けられている上記の足のブランコ装置を提供する。
第７には、足置部の動きを手元の操作で調整可能にする上記の足のブランコ装置を提供する。
【発明の効果】
【０００７】
本願発明は下方に凸部が形成される横梁に足置部を遥動可能に設けて、足を弓形の横梁に沿って上下および左右に往復動させることにより、足はもとより体全体の血流を促進して効果的に疲労回復を行うことができるものである。
上記第１の発明によれば、下方に凸部が形成される弓形をした横梁に遥動可能に吊るされた足置部に足のかかとを載せて手元のスイッチを入れることで該足置部に載せた両足を弓形の横梁の形状に沿って左右および上下に大きく往復運動させることができる。
上記第２の発明によれば、足置部を分割可能に設けることにより股を開く運動や右足と左足の運動を異ならせることができる。
上記第３の発明によれば、２つの異なった横梁を用いることにより右足および左足に対して独自の運動を行うことができる。
上記第４および第５の発明によれば、足置部の動きや高さを任意に調整することが可能になる。
上記第６の発明によれば、足のブランコ装置の分割および組み立てが可能になりコンパクトにして簡単に持ち運ぶことができる。
上記第７の発明によれば、足置部に足を置いた状態で遠隔操作が可能になる。
【図面の簡単な説明】
【０００８】
【図１】本願発明の典型的な足のブランコ装置の模式図である。
【図２】他の態様を示した足のブランコ装置の模式図である。
【図３】他の態様を示した足のブランコ装置の模式図である。
【図４】本願発明の横梁を折り曲げ可能にした構造の模式図である。
【発明を実施するための形態】
【０００９】
本願発明の足のブランコ装置は下方に凸部が形成される弓形をした横梁と該横梁を支持するための支柱と該横梁の形状に沿って遥動移動する足置部と該足置部を駆動するモータ等の駆動源から構成されている。そして、支柱は使用者の足の長さや使用する人の傷害度に適応できるように横梁の高さを任意に調整するための係止機構が設けられている。本願発明の足のブランコ装置と従来の健康器具とは大きな違いは、本願発明の足のブランコ装置は足を移動させるに際して足を帯やベルトで吊るして揺動させながら移動させることにより足の動きをなるべく自然の動作と同じになるように構成されている点である。
【００１０】
すなわち、身体全体の力を抜いて自然体でこの足のブランコ装置に足のかかとを載せて足をあずけるような状態にしたまま５〜１０分間位左右に大きく往復移動させることにより効果的に疲労回復を行えるものである。なお、本願発明の足置部としては、足首もしくはかかとの部分を載せて大きく左右に振った場合でも足首が脱落しないように足首を包み込むような方式にするとともに装置が故障した時に足置部の足の着脱が簡単に行えるように着脱自在のテープ等で足首を包むゴムカバー等を用いることが好ましい。
【００１１】
本願発明の足のブランコ装置は下方に凸部が形成される弓形の横梁に沿って往復動する際に横梁の右端および左端で足を上方に跳ね上げるため横運動とともに上下運動を兼ねた運動が行われるため運動量が大きくなり下半身はもとより体全体の血流を促進して効果的に疲労回復ができるという特徴を有するものである。なお、下方に凸部が形成される弓形の横梁の具体的な形状は特に決まっているわけではないが両端の高さは使用者の体力的負担を考慮して横梁の下端から１５〜４０ｃｍ程度が好ましく、横梁の振幅は０．３ｍ〜０．７ｍ程度が好ましい。この横梁の形状や振幅についての範囲は数多くの経験則から判断して、０．３ｍ未満では血流促進による疲労回復効果が小さく、０．７ｍを超えると体力的負担が大き過ぎることを知得したものである。
【００１２】
本願発明の足のブランコ装置の利用法は、力まず身体全体の力を抜き自然体でこの足のブランコ装置に足を載せて５〜１０分間位左右に大きく往復する足のブランコ装置に足をあずけることにより効果的に疲労回復を行えるものである。なお、本願発明の足置部としては、足首もしくはかかとの部分を載せて大きく左右に振った場合でも足首が脱落しないように足首を包み込み、且つ着脱できるようにすることが好ましい。なお、万が一機械が故障した場合に備えて、足置部は足首を機械から直ぐに外したり遠ざけたりできるように着脱方式もしくは着脱自在のテープ等で足首を包むゴムカバーを用いることが好ましい。
本願発明の足のブランコ装置を図１〜図４を用いて詳細に説明する。
【００１３】
図１は本願発明の典型的な足のブランコ装置を示した模式図である。図1における（１）は下方に凸部が形成される弓形の横梁であり、（２）はこの横梁を支持している支柱である。この下方に凸部が形成される弓形の横梁（１）には弓形の横梁の形状に沿って移動することができる溝等（３）が設けられている。この弓形の横梁の形状に沿って移動する機構としては横梁と同形の凹凸を設けたものと該凹凸に嵌合する歯車を噛み合わせて電動モータ等で回転させて該溝に沿って足置部を移動させること等が好ましい態様として考慮される。また、支柱（２）には下方に凸部が形成される弓形の横梁（１）の高さを調整するための適当な係止具が設けられている。そして、下方に凸部が形成された弓形の横梁（１）には足を安定させて保持できる足置部（４）を弓形の横梁の形状に沿って遥動可能に移動するための小型電動モータ等の駆動源が設けられている。
なお、本願発明の足のブランコ装置は簡単に移動できるように長さを調整するための嵌合手段（５）や継ぎ目（６）の構造にすることも可能である。
【００１４】
図２は本願発明の足のブランコ装置の他の態様を示したものである。すなわち、図２で示されている足のブランコ装置は足置部（４）が右足用と左足用の２つに分割可能な構造になっており左足と右足の運動を独立して行うことができるようにしたものである。もちろん、２つの足置部の移動の方向は同一方向に動いても異なる方向に動いてもよく、また足置部（４）の動きの速さは右足用と左足用で異なる態様であってもよい。このように右足用と左足用の独立した動きができる足置部（４）を設けるとともに適宜異なった動きを組み合わせることにより種々の足の動きが可能になる。また、右足用の足置部と左足用の足置部は磁石を用いたり適当な係合機構を用いて図１で示すような態様としても使用可能にすることもできる。なお、右足用と左足用の２つの足置部（４）の動きの制御についてはそれぞれ別々の駆動源を用いてもよいが一般的に用いられているような歯車を組み合わせて制御する機構であってもよい。図３は本願発明の更に異なった足のブランコ装置の態様を示したものである。左足用と右足用の異なった足置部（４）を設ける点では図２に示したものと同じであるが、図３に示したものは右足用および左足用のそれぞれに下方に凸部が形成される弓形の横梁（１）が設けられており、図２に記載されている足のブランコ装置に比較して足の動きを更に多様にすることができる。図４は本願発明の下方に凸部が形成される弓形をした横梁（１）を屈曲可能部（７）にした時の態様を示したものでありコンパクトに持ち運びが可能になるという利点がある。
【産業上の利用可能性】
【００１５】
身体を健康に維持・回復するために高齢者や身体障害者に対して種々の器具や装置が開発されているが本願発明の足のブランコ装置は種々の足の運動が可能であり高齢者や身体障害者のリハビリだけでなく若く健康な人の筋肉増強にも有用である。しかも、簡単に分解および組み立てが可能であり狭い部屋でも手軽に操作できて健康向上機器として有用である。
【符号の説明】
【００１６】
１  下方に凸部が形成される弓形の横梁
２  支柱
３  横梁の形状に沿って移動することができる溝等
４  足置部
５  嵌合手段
６  継ぎ目
７  屈曲可能部
【図１】
2010104773.tif 000003
【図２】
2010104773.tif 000004
【図３】
2010104773.tif 000005
【図４】
2010104773.tif 000006
【手続補正書】
【提出日】平成21年12月26日(2009.12.26)
【手続補正１】
【補正対象書類名】特許請求の範囲
【補正対象項目名】全文
【補正方法】変更
【補正の内容】
【特許請求の範囲】
【請求項１】
下方が凸部の弓形をした横梁と該横梁を垂直方向に支える支柱から形成され、弓形をした横梁には左右分割可能で左右異なった動きが可能である足置部を揺動支持するための係合部が設けられているとともに、該足置部を横梁の弓形状に沿って往復動させるための駆動源が設けられていることを特徴とする足のブランコ装置。
【請求項２】
下方が凸部の弓形をした横梁が支柱に対して左右対象に設けられていることを特徴とする請求項１に記載の足のブランコ装置。
【請求項３】
足置部を横梁の弓形状に沿って往復動させるために横梁の弓形状にスライド溝が設けられていることを特徴とする請求項２に記載の足のブランコ装置。
【請求項４】
支柱に横梁の高さを調整するための固定具が設けられていることを特徴とする請求項１ないし３のいずれかに記載の足のブランコ装置。
【請求項５】
横梁および支柱のそれぞれが分割可能に設けられていることを特徴とする請求項１ないし４のいずれかに記載の足のブランコ装置。
【請求項６】
足置部の動きを手元の操作で調整可能にすることを特徴とする請求項１ないし５のいずれかに記載の足のブランコ装置。
【手続補正２】
【補正対象書類名】明細書
【補正対象項目名】０００６
【補正方法】変更
【補正の内容】
【０００６】
本願発明は上記の課題を解決するものであり、本願発明は第１には、下方が凸部の弓形をした横梁と該横梁を垂直方向に支える支柱から形成され、弓形をした横梁には左右分割可能で左右異なった動きが可能である足置部を揺動支持するための係合部が設けられているとともに、該足置部を横梁の弓形状に沿って往復動させるための駆動源が設けられている足のブランコ装置を提供する。
第２には、下方が凸部の弓形状の横梁が支柱に対して左右対象に設けられている上記の足のブランコ装置を提供する。
第３には、足置部を横梁の弓形状に沿って往復動させるために横梁の弓形状にスライド溝が設けられている上記の足のブランコ装置を提供する。
第４には、支柱に横梁の高さを調整するための固定具が設けられている上記の足のブランコ装置を提供する。
第５には、横梁および支柱のそれぞれが分割可能に設けられている上記の足のブランコ装置を提供する。
第６には、足置部の動きを手元の操作で調整可能にする上記の足のブランコ装置を提供する。
【手続補正３】
【補正対象書類名】明細書
【補正対象項目名】０００７
【補正方法】変更
【補正の内容】
【０００７】
本願発明は下方に凸部が形成される横梁に足置部を遥動可能に設けて、足を弓形の横梁に沿って上下および左右に往復動させることにより、足はもとより体全体の血流を促進して効果的に疲労回復を行うことができるものである。
上記第１の発明によれば、下方に凸部が形成される弓形をした横梁に遥動可能に吊るされた足置部に足のかかとを載せて手元のスイッチを入れることで該足置部に載せた両足を弓形の横梁の形状に沿って左右および上下に大きく往復運動させることができる。また、足置部を分割可能に設けることにより股を開く運動や右足と左足の運動を異ならせることができる。
上記第２の発明によれば、２つの異なった横梁を用いることにより右足および左足に対して独自の運動を行うことができる。
上記第３および第４の発明によれば、足置部の動きや高さを任意に調整することが可能になる。
上記第５の発明によれば、足のブランコ装置の分割および組み立てが可能になりコンパクトにして簡単に持ち運ぶことができる。
上記第６の発明によれば、足置部に足を置いた状態で遠隔操作が可能になる。